(57)【要約】【課題】異常発熱が発生した場合、熱がすぐに温度センサーに伝わり、端子台等の熱変形等の事故が発生することなく、かつ専用部品及びそのためのスペースを必要としない温度センサーユニットとする。【解決手段】温度センサー１００と、接触片２００とを備えており、前記接触片２００は、温度センサー１００のセンサー部１１０が入り込む筒部２２０と、この筒部２２０と一体に形成された舌片状の取付部２１０とを有し、かつ前記温度センサー１００のセンサー部１１０とリード部１２０とを包み込み、センサー部１１０の筒部２２０内部で固定するための絶縁性を有する内側絶縁手段３００としての絶縁性チューブを有している。【選択図】      図６
2018125085.tif 000002
【特許請求の範囲】
【請求項１】
温度センサーと、接触片とを具備しており、前記接触片は、温度センサーのセンサー部が入り込む筒部と、この筒部と一体に形成された舌片状の取付部とを有していることを特徴とする温度センサーユニット。
【請求項２】
前記温度センサーのセンサー部とリード部とを包み込む絶縁性を有する内側絶縁手段を有していることを特徴とする請求項１記載の温度センサーユニット。
【請求項３】
センサー部が筒部に入り込んだ状態の温度センサーを包み込む絶縁性を有する外側絶縁手段を有していることを特徴とする請求項１又は２記載の温度センサーユニット。
【請求項４】
前記取付部には、ネジの軸部が嵌まり込むネジ用開口が形成されていることを特徴とする請求項１、２又は３記載の温度センサーユニット。
【請求項５】
前記内側絶縁手段は、絶縁性チューブであることを特徴とする請求項２、３又は４記載の温度センサーユニット。
【請求項６】
前記外側絶縁手段は、絶縁性チューブであることを特徴とする請求項３又は４記載の温度センサーユニット。
【請求項７】
前記接触片は、取付部が筒部に対して屈曲した位置に設けられていることを特徴とする請求項１、２、３、４、５又は６記載の温度センサーユニット。
【請求項８】
複数の温度センサーユニットと、この温度センサーユニットを取り付けるベース部とを具備しており、前記複数の温度センサーユニットの各温度センサーは直列に接続されており、前記複数の温度センサーユニットの接触片の取付部は前記ベース部から突出しており、前記温度センサーユニットは、温度センサーと、接触片とを有しており、前記接触片は、温度センサーのセンサー部が入り込む筒部と、この筒部と一体に形成された舌片状の取付部とを有しており、温度センサーはアキシャル型のものであり、接触片は直交型のものであることを特徴とする温度センサーユニット群。
【請求項９】
請求項１、２、３、４、５、６又は７記載の温度センサーユニット又は請求項８記載の温度センサーユニット群を含むことを特徴とする端子台。
【請求項１０】
請求項１、２、３、４、５、６又は７記載の温度センサーユニット又は請求項８記載の温度センサーユニット群を含むことを特徴とする配電装置。
【発明の詳細な説明】
【技術分野】
【０００１】
本発明は、端子台等での異常発熱が生じた場合に回路を遮断することができるに使用される温度センサーユニットと、温度センサーユニット群と、温度センサーユニット又は温度センサーユニット群を含む端子台、温度センサーユニット又は温度センサーユニット群を含む配電装置に関する。
【背景技術】
【０００２】
従来、分電盤、制御盤等の電気機器収納箱には、内部に収納した電気機器からの電線（内部電線すなわち二次配線）と、外部からの電線（外部電線すなわち一次配線）とを中継する端子台が備えられている。このような端子台では、電気機器収納箱の製造業者が、電気機器収納箱からの内部配線を接続する。一方、外部電線の接続は、電気機器収納箱を現場に設置した後に、現場の施工業者が行う。
【０００３】
このように内部電線すなわち二次配線と、外部電線すなわち一次配線とが接続される端子台は、内部電線を接続した状態で出荷され、現場では外部電線の接続のみを行う。しかし、現場の施工業者が、電気機器収納箱内に外部電線を接続する際に、接続が緩んでしまい、その結果、異常発熱が発生するという問題がある。
【０００４】
かかる問題を解消すべく、端子の不完全接合等の異常に起因する異常発熱が発生した場合、回路を遮断すべく温度ヒューズを組み込んだ端子台が提案されている。
【０００５】
【特許文献１】特許第５９１９５４８号公報
【特許文献２】特開２０１６−０１８６７７号公報
【発明の開示】
【発明が解決しようとする課題】
【０００６】
しかしながら、特許文献１記載の端子台では、異常発熱が発生したとしても、その熱は端子台成形品本体やユニットの絶縁被覆カバー、空気層を介して伝えられるため、温度上昇の応答性が低く、かつ温度センサーの検知温度が低くなるという問題がある。
場合によっては異常発熱を検知した時点では、すでに端子部は高温加熱状態になり、端子台が熱変形してしまっていたり、焼損しているという事故が発生する可能性がある。
【０００７】
また、特許文献２記載の端子台では、熱はシリコン樹脂シートを介して温度センサーに伝えられるため、温度上昇の応答性は高く、かつ温度センサーの検知温度も低くならないというメリットがあるが、シリコン樹脂シートやそれを覆うカバー等の専用部品が必要となる。
このため、この端子台では専用部品を組み込むスペースが必要となり、その結果、製品サイズが大きくなるという問題点がある。
【０００８】
本発明は、上記事情に鑑みて創案されたもので、異常発熱が発生した場合、熱がすぐに温度センサーに伝わるため、端子台等の熱変形等の事故が発生することなく、かつ専用部品及びそのためのスペースを必要としない温度センサーユニットを提供することを目的としている。
【課題を解決するための手段】
【０００９】
本発明に係る温度センサーユニットは、温度センサーと、接触片とを具備しており、前記接触片は、温度センサーのセンサー部が入り込む筒部と、この筒部と一体に形成された舌片状の取付部とを有している。
【００１０】
また、本発明に係る温度センサーユニットは、前記温度センサーのセンサー部とリード部とを包み込む絶縁性を有する内側絶縁手段を有している。
【００１１】
さらに、本発明に係る温度センサーユニットは、センサー部が筒部に入り込んだ状態の温度センサーを包み込む絶縁性を有する外側絶縁手段を有している。
【００１２】
本発明に係る温度センサーユニットは、前記取付部には、ネジの軸部が嵌まり込むネジ用開口が形成されている。
【００１３】
前記内側絶縁手段としては絶縁性チューブが、前記外側絶縁手段としては絶縁性チューブが好適である。
【００１４】
前記接触片は、取付部が筒部に対して屈曲した位置に設けられているとよい。
【００１５】
本発明に係る温度センサーユニット群は、複数の温度センサーユニットと、この温度センサーユニットを取り付けるベース部とを備えており、前記複数の温度センサーユニットの各温度センサーは直列に接続されており、前記複数の温度センサーユニットの接触片の取付部は前記ベース部から突出しており、前記温度センサーユニットは、温度センサーと、接触片とを有しており、前記接触片は、温度センサーのセンサー部が入り込む筒部と、この筒部と一体に形成された舌片状の取付部とを有しており、温度センサーはアキシャル型のものであり、接触片は直交型のものである。
【００１６】
また、本発明に係る端子台や集電装置は、上述した温度センサーユニット又は温度センサーユニット群を含んでいる。
【発明の効果】
【００１７】
本発明に係る温度センサーユニットは、接触片の筒部に温度センサーのセンサー部が組み込まれているため、蓄熱性や熱伝導性に優れている。このため、異常発熱が発生した場合、熱がすぐに温度センサーに伝わり、端子台等の熱変形等の事故が発生する前に回路を遮断することができる。
【００１８】
温度センサーを内側絶縁手段で覆うと、温度センサーのリード線と接触片との絶縁性の確保と導通を防止することができる。また、温度センサーのセンサー部が接触片の筒部の内側での位置ずれをも防止することができる。
なお、内側絶縁手段を絶縁性チューブとすると  単に温度センサーに被せるだけでよいので、作業性に優れている。
【００１９】
さらに、外側絶縁手段を設けると、温度センサーの接触片に対する固定がより強固になるとともに、温度センサーの絶縁とがより確実になる。
なお、外側絶縁手段を絶縁性チューブとすると  単に筒部と温度センサーとに被せるだけでよいので、作業性に優れている。
【００２０】
接触片の取付部にネジの軸部が嵌まり込むネジ用開口が形成していると、端子台の導電板に対して電線と共締めすることができる。すなわち、温度センサーを端子台に対して外付けすることができるので、端子台に温度センサー用の専用スペースを設ける必要がなく、端子台を小型に構成することができる。
また、温度センサーユニットを端子台の導電板に対して直接接続することになるので、温度センサーへの熱伝導性に優れている。
さらに、温度センサーユニットを端子台に対して後付けすることできるので、汎用品とすることができる。
【００２１】
取付部が筒部に対して屈曲した位置に設けられている接触片とすることで、端子台に取り付けた場合、温度センサーのリード線が端子台に取り付けられる電線から離れる方向に伸びるため、前記電線のみならず他の部品との干渉を避けることができる。
【００２２】
複数の温度センサーユニットの温度センサーを直列に接続し、かつ温度センサーユニットの接続部を突出するようにベース部に取り付けた温度センサーユニット群であると、複数の導電板が一定間隔で並んだ端子台に対して短絡することなく、一括で取り付けることができるので、端子台への取付作業や配線作業の効率が向上する。
【図面の簡単な説明】
【００２３】
【図１】本発明の各実施の形態に係る温度センサーユニットに使用される温度センサーの概略的正面図である。
【図２】本発明の各実施の形態に係る温度センサーユニットに使用される接触片の概略的斜視図である。
【図３】本発明の第１の実施の形態に係る温度センサーユニットの概略的斜視図である。
【図４】本発明の第１の実施の形態に係る温度センサーユニットの概略的斜視図である。
【図５】本発明の第１の実施の形態に係る温度センサーユニットの１つを端子台に取り付けた状態を示す概略的斜視図である。
【図６】本発明の第２の実施の形態に係る温度センサーユニットの一例を示す概略的斜視図である。
【図７】本発明の第３の実施の形態に係る温度センサーユニットの一例を示す概略的斜視図である。
【図８】本発明の第２の実施の形態に係る温度センサーユニットの１つを端子台に取り付けた状態を示す概略的斜視図である。
【図９】本発明の第４の実施の形態に係る温度センサーユニットの一例を示す概略的斜視図である。
【図１０】本発明の第４の実施の形態に係る温度センサーユニットの１つを端子台に取り付けた状態を示す概略的斜視図である。
【図１１】本発明の第５の実施の形態に係る温度センサーユニット群の概略的斜視図である。
【図１２】本発明の第６の実施の形態に係る温度センサーユニット群の概略的斜視図である。
【発明を実施するための形態】
【００２４】
本発明の実施の形態に係る温度センサーユニット１０００は、例えば、端子台９００における導電板９１０のネジ９６０、９７０の緩みに起因する異常発熱に対応するものである。ただし、この温度センサーユニット１０００は、端子台のみに限定されるものではなく、異常発熱が予想される部材、例えばヒートシンクにも対応可能なことはいうまでもない。
【００２５】
まず、本発明の実施の形態に係る温度センサーユニット１０００自体の説明の前に、この温度センサーユニット１０００を構成する温度センサー１００と接触片２００とを説明する。
なお、本明細書中では、温度センサユニット全体を示す場合には『１０００』を部品番号とするが、それぞれを分けて説明する場合には部品番号にアルファベットの符号を付することにする。
また、本明細書中では、温度センサ全体を示す場合には『１００』を、センサー部全体を示す場合には『１１０』を、リード線全体を示す場合には『１２０』をそれぞれ部品番号とするが、それぞれを分けて説明する場合には部品番号にアルファベットの符号を付することにする。
さらに、本明細書中では、接触片全体を示す場合には『２００』を、接続部全体を示す場合には『２１０』を、筒部全体を示す場合には『２２０』をそれぞれ部品番号とするが、それぞれを分けて説明する場合には部品番号にアルファベットの符号を付することにする。
【００２６】
この温度センサー１００は、図１（Ａ）に示すように、略円柱状のセンサー部１１０の両端からリード部１２０が突出したいわゆるアキシャル型（以下、『温度センサー１００Ａ』とする）と、図１（Ｂ）に示すように、略矩形状のセンサー部１１０から一対のリード部１２０が同一方向に平行に並んで突出したいわゆるラジアル型（以下、『温度センサー１００Ｒ』とする）とがある。
前記センサー部１１０は、周囲の温度を検出する部分であり、このセンサー部１１０に接続された一対のリード部１２０とを有している。
この温度センサー１００を回路の一部に挿入することで、周囲が設定温度以上になると回路を遮断することができるようになる。
【００２７】
この温度センサー１００としては、周囲が設定温度以上になると、内部の可溶体が溶融することで回路を遮断する温度ヒューズが挙げられる。以下の説明では温度ヒューズを温度センサー１００の代表例として挙げるが、本発明における温度センサー１００は温度ヒューズに限定されるものではなく、サーモスタットや正特性サーミスタなどであってもよいことはいうまでもない。
すなわち、本発明における温度センサー１００とは、周囲が設定温度以上になると回路を遮断する素子を指し示している。
【００２８】
また、接触片２００は、熱伝導性に優れた金属板から構成されている。
この接触片２００は、図２（Ａ）に示すように、筒部２２０が接続部２１０に対して真っ直ぐ向かったタイプ（以下、『垂直型の接触片２００Ｖ』とする）のものがある。この垂直型の接触片２００Ｖの筒部２２０は、温度センサー１００のセンサー部１１０が入り込むことができる内径寸法を有する円筒形状に形成されている。
【００２９】
また、他のタイプの接触片２００としては、図２（Ｂ）〜（Ｄ）に示すように、筒部２２０が接続部２１０に対して直交するタイプ（以下、『直交型の接触片２００Ｈ』とする）のものがある。この直交型の接触片２１０Ｈも温度センサー１００のセンサー部１１０が入り込むことができる内径寸法を有する円筒形状に形成されている。
両タイプの接触片２００Ｖ、２００Ｈは、接続部２１０にネジ９６０の軸部が嵌まり込むネジ用開口としての貫通穴２１１が開設されている。
【００３０】
直交型の接触片２００Ｈは、接続部２１０が矩形状に形成されたタイプ（図２（Ｂ）参照）、接続部２１０の先端が丸くなった長方形タイプ（図２（Ｃ）参照）、接続部２１０の先端が丸くかつ先端に向かうにつれて幅寸法が漸増するタイプ（図２（Ｄ）参照）等があるが、接触片２００Ｈが取り付けられる対象物、対象物の形状等に応じて適宜選択することができる。
なお、この接続部２１０の形状の違いは、直交型の接触片２００Ｈだけでなく、垂直型の接触片２００Ｖにも存在することはもちろんである。
【００３１】
また、接触片２００Ｖは、接続部２１０のネジ用開口が前記貫通穴２１２ではなく、図２（Ｅ）に示すように、切欠き部２１２を有し、全体として略Ｙ字形状となるタイプもある。この接続部２１０が略Ｙ字形状となるタイプは、直交型の接触片２００Ｈにもありうる。
【００３２】
本発明の第１の実施の形態に係る温度センサーユニット１０００Ａ１〜１０００Ａ５は、温度センサー１００と、接触片２００とを備えており、前記接触片２００は、温度センサー１００のセンサー部１１０が入り込む筒部２２０と、この筒部２２０と一体に形成された舌片状の取付部２１０とを有している。
【００３３】
上述したようなアキシャル型の温度センサー１００Ａ、ラジアル型の温度センサー１００Ｒと、垂直型の接触片２００Ｖ、直交型の接触片２００Ｈ４とから構成される温度センサーユニット１０００は以下のように区別される。
すなわち、図３（Ａ）や図３（Ｂ）に示すようにアキシャル型の温度センサー１００Ａと直交型の接触片２００Ｈとを組み合わせたタイプ（温度センサーユニット１０００Ａ１、１０００Ａ２）、図３（Ｃ）に示すようにアキシャル型の温度センサー１００Ａと垂直型の接触片１００Ｖとを組み合わせたタイプ（１０００Ａ３）、図４（Ａ）に示すようにラジアル型の温度センサー１００Ｒと垂直型の接触片２００Ｖとを組み合わせたタイプ（１０００Ａ４）、図４（Ｂ）に示すようにラジアル型の温度センサー１００Ｒと直交型の接触片２００Ｈとを組み合わせたタイプ（１０００Ａ５）である。
【００３４】
ここで、アキシャル型の温度センサー１００Ａと直交型の接触片２００Ｈとを使用した温度センサーユニット１０００Ａ１、１０００Ａ２の場合、一対のリード線１２０をそのままの状態とする温度センサーユニット１０００Ａ１（図３（Ａ）参照）と、一方のリード線１２０を折曲した温度センサーユニット１０００Ａ２（図３（Ｂ）参照）とがある。
なお、アキシャル型の温度センサー１００Ａを使用し、かつ垂直型の接触片２００Ｖを使用した温度センサーユニット１０００Ａ３の場合、接続部２１０側のリード線１２０をそのままにしておくと、端子台等と接続する際に接続部１２０と干渉するので、その側のリード線１２０は図３（Ｃ）に示すように１８０°折曲される。
なお、温度センサーユニット１０００Ａ４、１０００Ａ５のように、ラジアル型の温度センサー１００Ｒを使用したものでは、一対のリード線１２０が同一方向に突出するので、リード線１２０を折曲することはない。
【００３５】
このように構成された温度センサーユニット１０００Ａ３は、図５に示すように、端子台９００の負荷側接続電線９３０とともに端子台９００の導電板９１０にネジ９６０によって共締めされる。
万が一、導電板９１０に接続された入力側接続電線９２０を導電板９１０に固定するネジ９７０、又は負荷側接続電線９３０を導電板９１０に固定するネジ９６０が緩んで異常発熱が生じると、その熱は接触片２００Ｖを介して温度センサー１００Ａに伝わり、温度センサー１００Ａが遮断される。その結果、回路が遮断される。
なお、図５においては、図３（Ｃ）に示す直交型の接触片２００Ｖとアキシャル型の温度センサー１００Ａとを組み合わせ、接続部２１０側のリード線１２０を１８０°折曲してなる温度センサーユニット１０００Ａ３を示しているが、他のタイプの温度センサーユニット１０００Ａ１、１０００Ａ２、１０００Ａ４、１０００Ａ５でもよいことはいうまでもない。
【００３６】
上述した第１の実施の形態に係る温度センサーユニット１０００Ａ１〜１０００Ａ５では、温度センサー１００Ａ、１００Ｒと接触片２００Ｈ、２００Ｖとの組み合わせがいずれのタイプのものであっても、温度センサー１００Ａ、１００Ｒのリード線１２０は露出されている。このため、リード線１２０と接触片２００とが導通するおそれがある。また、なんらかの外力が加わると、温度センサー１００のセンサー部１１０が接触片２００の筒部２２０の内側で保持されず位置がずれてしまうおそれもある。
これらのおそれを解消したものが第２の実施の形態に係る温度センサーユニット１０００Ｂである。
【００３７】
この第２の実施の形態に係る温度センサーユニット１０００Ｂは、温度センサー１００と、接触片２００と、温度センサー１００のセンサー部１１０とリード部１２０とを包み込む絶縁性を有する内側絶縁手段３００とを備えており、前記接触片２００は、温度センサー１００のセンサー部１１０が入り込む筒部２２０と、この筒部２２０と一体に形成された舌片状の取付部２１０とを有している。
なお、図６〜図１０において、内側絶縁手段３００は二点鎖線で示している。
【００３８】
この第２の実施の形態に係る温度センサーユニット１０００Ｂを構成する温度センサー１００及び接触片２００は、第１の実施の形態に係る温度センサーユニット１０００Ａ３と同一である。この第２の実施の形態に係る温度センサーユニット１０００Ｂの特徴的なのは、内側絶縁手段３００を有している点である。
内側絶縁手段３００としては、柔軟性を有し、かつ絶縁性を有するシリコンゴム等からなる絶縁性チューブが用いられる。この内側絶縁手段３００は、アキシャル型の温度センサー１００Ａであれば、図６に示すように、温度センサー１００のセンサー部１１０とその両端から突出する一対のリード線１２０を内包するように温度センサー１００に取り付けられる。
【００３９】
なお、図６に示す温度センサーユニット１０００Ｂでは、内側絶縁手段３００が取り付けられた温度センサー１００のセンサー部１１０が、筒部２２０の内側に位置するように、接触片２００に組み込まれる。そして、一方のリード線１２０を他方のリード線１２０と平行になるように折曲されているが、他のタイプの温度センサーユニット１００であっても、同様にセンサー部１１０及びリード部１２０を内側絶縁手段３００で覆うようにすることが可能である。
【００４０】
このように温度センサーユニット１０００Ｂに内側絶縁手段３００を設けることにより、リード線１２０と接触片２００との絶縁性の確保と導通を防止することができるとともに、温度センサー１００のセンサー部１１０が接触片２００の筒部２２０の内側での位置ずれをも防止することができる。
このように構成された第２の実施の形態に係る温度センサーユニット１０００Ｂは、第１の実施の形態に係る温度センサーユニット１０００Ａ１〜１０００Ａ５と同様に、図８に示すように、端子台９００の負荷側接続電線９３０とともに端子台９００の導電板９１０にネジ９６０によって共締めされる。
【００４１】
第３の実施の形態に係る温度センサーユニット１０００Ｃは、第２の実施の形態に係る温度センサーユニット１０００Ｂにさらに外側絶縁手段４００を設けたものである。
この外側絶縁手段４００は、内側絶縁手段３００と同様に、柔軟性を有し、かつ絶縁性を有するシリコンゴム等からなる絶縁性チューブが用いられる。ただし、この外側絶縁手段４００は、内側絶縁手段３００よりも内径が大きくなければならない。
なお、図７において、外側絶縁手段４００は二点鎖線で示している。
【００４２】
この外側絶縁手段４００は、図７に示すように、内側絶縁手段３００が設けられた温度センサー１００と、その温度センサー１００が取り付けられた接触片２００の筒部２２０とを同時に包み込むものである。
このように外側絶縁手段４００で温度センサー１００及び筒部２２０とを同時に包み込むと、温度センサー１００の接触片２００に対する固定と絶縁とがより確実になる。
【００４３】
なお、図７では、一方のリード線１２０を他方のリード線１２０と平行になるように折曲されている温度センサー１００を示したが、他のタイプの温度センサーユニット１００であっても、同様にセンサー部１１０及びリード部１２０を内側絶縁手段３００で覆い、その上から外側絶縁手段４００で筒部２２０ごと包み込むようにすることができるのはもちろんである。
【００４４】
上述した第２及び第３の実施の形態では、内側絶縁手段３００及び外側絶縁手段４００をシリコンゴム等からなる絶縁性チューブとしたが、本発明がこれに限定されるわけではない。
他の素材からなる絶縁性チューブであってもよいことはいうまでもない。また、チューブ状のものではなく、シート状のものを巻回することによって内側絶縁手段３００及び外側絶縁手段４００とすることも可能である。
さらに、液状で時間経過で固化する絶縁性を有する素材、例えばシリコン系接着剤等を内側絶縁手段３００及び外側絶縁手段４００として利用することも可能である。
【００４５】
上述した第１〜第３の実施の形態に係る温度センサーユニット１０００Ａ１〜１０００Ａ５、１０００Ｂ、１０００Ｃでは、接触片２００の取付部２１０は筒部２２０と同一平面上に位置する、すなわち取付部２１０は筒部２２０に対して真っ直ぐな位置に設けられていた。
しかしながら、図９に示す第４の実施の形態に係る温度センサーユニット１０００Ｄのように、取付部２１０が筒部２２０に対して屈曲した位置に設けられている接触片２００を使用することも可能である。
この第４の実施の形態に係る温度センサーユニット１０００Ｄでは、取付部２１０が筒部２２０に対して屈曲しているので、図１０に示すように、端子台９００に取り付けた場合、温度センサー１００のリード線１２０が負荷側接続電線９３０から離れる方向に伸びるため、負荷側接続電線９３０のみならず他の部品（図示省略）との干渉を避けることができる。
【００４６】
なお、この第４の実施の形態に係る温度センサーユニット１０００Ｄは、図９及び図１０では内側絶縁手段３００だけで外側絶縁手段４００がないものが示されているが、外側絶縁手段４００を有していてもよいことはもちろんである。
また、図９及び図１０では、図３（Ｃ）に示した温度センサーユニット１０００Ａ３をベースとした温度センサーユニット１０００Ｄを示したが、他の温度センサーユニット１０００であってもよいことはいうまでもない。
【００４７】
上述した第１〜第４の実施の形態に係る温度センサーユニット１０００Ａ１〜１０００Ａ５、１０００Ｂ、１０００Ｃ、１０００Ｄは、１つの温度センサー１００と、１つの接触片２００とから構成されていた。
しかしながら、端子台９００はレールに複数個が連結して取り付けられたものであり、複数の導電板９１０が一定間隔で並んでいる。
各導電板９１０に上記温度センサーユニット１０００Ａ１〜１０００Ａ５、１０００Ｂ、１０００Ｃ、１０００Ｄをそれぞれ設けるとなると設置の手間がかかり、場合によっては隣接する温度センサーユニット１０００Ａ１〜１０００Ａ５、１０００Ｂ、１０００Ｃ、１０００Ｄ同士が短絡してしまうことがある。
第５の実施の形態に係る温度センサーユニット群５０００Ａは、かかる問題を解消するものである。
【００４８】
この第５の実施の形態に係る温度センサーユニット群５０００Ａは、複数（図面では３個）の温度センサーユニット１０００Ａ１と、この温度センサーユニット１０００Ａ１を取り付けるベース部としての配線板５１０とを備えており、前記複数の温度センサーユニット１０００Ａ１の各温度センサー１００は直列に接続されており、前記複数の温度センサーユニット１０００Ａ１の接触片２００の取付部２１０は前記配線板５１０から突出しており、前記温度センサーユニット１０００Ａ１は、温度センサー１００と、接触片２００とを有しており、前記接触片２００は、温度センサー１００のセンサー部１１０が入り込む筒部２２０と、この筒部２２０と一体に形成された舌片状の取付部２１０とを有しており、温度センサー１００はアキシャル型のものであり、接触片２００は直交型のものである。
【００４９】
前記温度センサーユニット１０００Ａ１は、図３（Ａ）に示すものが基本となっている。この温度センサーユニット１０００Ａ１は各接触片２００の筒部２２０内にセンサー部１１０を位置させた状態で直列に接続されている。この接触片２００の間隔は、取り付けるべき端子台９００の導電板９１０の間隔に一致するように設定されている。
かかる接触片２００を取り付けるベース部としての配線板５１０は、図１１に示すように細長いパターン配線板であり、両端に位置する温度センサー１００の外側のリード線１２０は配線板５１０に設けられた図示しない配線パターンに接続されている。
なお、接触片２００は耐熱性接着剤等の適宜な素材、或いははんだ付け等の取付手段で配線板５１０に固定されている。
しかも、温度センサーユニット１０００Ａ１を構成する接触片２００の接続部２１０は配線板５１０から突出しているため、配線板５１０が端子台９００に干渉することなく、確実に導電板９１０に取り付けることができる。
【００５０】
かかる温度センサーユニット群５０００Ａであると、いずれかの温度センサー１００が異常発熱に晒されると全体の回路を遮断することができる。また、配線板５１０によって複数の温度センサーユニット１０００Ａ１が固定的に設けられているため、端子台９００への取付作業や配線作業の効率が向上し、簡単に取り付けることができるようになるばかりか、取り付ける際に隣接する温度センサーユニット１０００Ａ１と干渉したり、短絡することがない。
【００５１】
第６の実施の形態に係る温度センサーユニット群５０００Ｂは、上述した第５の実施の形態に係る温度センサーユニット群５０００Ａのベース部として配線板５１０の代わりに収納ケース５２０を用いたものである。
なお、図１２においては、作図の都合上、収納ケース５２０は内部が見えるように二点鎖線で示している。この収納ケース５２０は、透明又は不透明な素材で形成されている。
【００５２】
この収納ケース５２０は、絶縁性を有する素材からなる全体として細長い角筒状のものであり、その一面には取り付けるべき端子台９００の導電板９１０の間隔に一致した窓部５２１が設けられている。この窓部５２１は、温度センサーユニット１０００Ａ１が収納される部分である。そして、各窓部５２１からは、収納した温度センサーユニット１０００Ａ１の接触片２００の取付部２１０が突出するようになっている。
なお、両端に位置する温度センサー１００の外側のリード線１２０は収納ケース５２０の端面５２２に形成された小穴５２３から外部に導出される。
【００５３】
この第６の実施の形態に係る温度センサーユニット群５０００Ｂは、第５の実施の形態に係る温度センサーユニット群５０００Ａが有する効果に加えて下記のさらなる効果を奏する。
すなわち、第６の実施の形態に係る温度センサーユニット群５０００Ｂは、ベース部として上述のような筒状の収納ケース５２０を使用しているので、温度センサーユニット１０００Ａ１は窓部５２１によって位置が固定的に決定される。このため、ベース部として配線板５１０を利用する場合のように温度センサーユニット１０００Ａ１を耐熱性接着剤等の適宜な素材、或いははんだ付け等取付手段で固定する必要がない。
【００５４】
さらに、上述したような温度センサーユニット又は温度センサーユニット群が組み込まれた端子台も本願発明に含まれるものであることはいうまでもない。
【符号の説明】
【００５５】
１００    温度センサー
１１０    センサー部
１２０    リード線
２００    接触片
２１０    取付部
２２０    筒部
１０００Ａ１  温度センサーユニット
【図１】
2018125085.tif 000003
【図２】
2018125085.tif 000004
【図３】
2018125085.tif 000005
【図４】
2018125085.tif 000006
【図５】
2018125085.tif 000007
【図６】
2018125085.tif 000008
【図７】
2018125085.tif 000009
【図８】
2018125085.tif 000010
【図９】
2018125085.tif 000011
【図１０】
2018125085.tif 000012
【図１１】
2018125085.tif 000013
【図１２】
2018125085.tif 000014